(57)【要約】【課題】針電極を清掃する清掃具を自動で交換する。【解決手段】帯電装置２０は、清掃ローラ４２を装着し、針電極２１の配列方向に移動可能にする清掃部４０と、清掃部４０を清掃領域及び清掃領域外の交換領域の間で移動させる清掃駆動部４５と、交換領域に対向して配置され、複数個の清掃ローラ４２を収容する清掃具収容部５１と、交換領域を往復する際に、往動動作を利用して、現に装着されている清掃具を自重で落下させると共に、復動動作を利用して清掃具収容部５１から新たな清掃ローラ４２ｎを清掃部４０に向けて繰り出して装着する交換部５０とを備えた。【選択図】図５
2016051127.tif 000002
【特許請求の範囲】
【請求項１】
配列された針電極を支持する電極支持部を備えた帯電装置において、
清掃具を装着し、前記針電極の配列方向に移動可能にする清掃部と、
前記清掃部を清掃領域及び清掃領域外の交換領域の間で移動させる駆動部と、
前記交換領域に対向して配置され、少なくとも１個以上の前記清掃具を収容する収容部と、
前記交換領域を往復する際に、往動動作を利用して、現に装着されている清掃具を自重で落下させると共に、復動動作を利用して前記収容部から新たな清掃具を前記清掃部に向けて繰り出して装着する交換部とを備えた帯電装置。
【請求項２】
前記駆動部は、前記清掃具の交換時に、前記清掃部を前記交換領域で往復動させることを特徴とする請求項１に記載の帯電装置。
【請求項３】
前記交換部は、前記交換領域内であって、前記清掃領域に近い側に交換位置を、遠い側に廃棄位置を設定し、
前記電極支持部は、前記廃棄位置に対応する位置では下方を開放形状とし、前記廃棄位置から前記交換位置に戻る間に前記交換部が前記収容部に作用して新たな清掃具を１個だけ清掃部に向けて繰り出す位置に受け部を備えたことを特徴とする請求項１又は２に記載の帯電装置。
【請求項４】
請求項１〜３のいずれかに記載の帯電装置を備えた画像形成装置。
【発明の詳細な説明】
【技術分野】
【０００１】
本発明は、電子写真方式の画像形成装置に適用される帯電装置の清掃技術に関する。
【背景技術】
【０００２】
感光体ドラムの表面を均一に帯電させる帯電装置として、鋸歯電極を用いたスコロトロン方式が知られている。この種の帯電装置は、放電時間に伴って歯先形状の劣化や、放電生成物の付着が進み、その結果、感光体ドラム表面の帯電にムラが発生する虞がある。従来、帯電ムラを抑制するべく、鋸歯電極を清掃する技術が提案されている。
【０００３】
特許文献１には、複数配列された針電極を清掃する清掃ローラを備えた帯電装置が記載されている。より具体的には、清掃ローラは弾性体で構成され、針電極の配列方向に移動する清掃ローラの肉厚内に針電極の刃先が順番に突き刺さるようにして、各針電極に付着した飛散トナーや塵埃を除去するようにしたものである。
【０００４】
特許文献２には、帯電ワイヤを備えた帯電装置において、帯電ワイヤを両側から挟むパッドを備えたホルダと、このホルダを帯電ワイヤの延びる方向に移動するガイド部材とを備え、帯電ワイヤをクリーニングする装置が記載されている。また、特許文献１の装置では、使用に伴って、帯電ワイヤと接するパッドの位置を交換方向に向けて次第に微動させ、使い尽くしたパッドが交換位置まで移動すると、交換位置でＣリングを取り外すことで、新しいパッドを備えたホルダとの交換が可能にされている。
【先行技術文献】
【特許文献】
【０００５】
【特許文献１】特開２００８−２６７３９号公報
【特許文献２】特開平９−１３４０５９号公報
【発明の概要】
【発明が解決しようとする課題】
【０００６】
特許文献１に記載の帯電装置は、清掃ローラを交換する構成は備えておらず、しかも清掃ローラは鋸歯に接触させて清掃を行うものであるため、長期間の使用により清掃部材が劣化し清掃能力を低下させるといった問題がある。特許文献２に記載の帯電装置には、清掃用のパッドを、交換位置で作業者がＣリングを取り外し、新品のホルダと交換する作業を行うことが記載されているが、放電ワイヤを清掃するホルダが交換対象であり、しかも自動で交換する構成は開示されていない。
【０００７】
本発明は、前記課題に鑑みてなされたもので、針電極を清掃する清掃具を移動させる動作を利用して自動で清掃具の交換を行うことのできる清掃装置及び画像形成装置を提供することを目的とする。
【課題を解決するための手段】
【０００８】
本発明は、配列された針電極を支持する電極支持部を備えた帯電装置において、清掃具を装着し、前記針電極の配列方向に移動可能にする清掃部と、前記清掃部を清掃領域及び清掃領域外の交換領域の間で移動させる駆動部と、前記交換領域に対向して配置され、少なくとも１個以上の前記清掃具を収容する収容部と、前記交換領域を往復する際に、往動動作を利用して、現に装着されている清掃具を自重で落下させると共に、復動動作を利用して前記収容部から新たな清掃具を前記清掃部に向けて繰り出して装着する交換部とを備えたものである。
【０００９】
本発明によれば、駆動部によって清掃部が、本来の移動行路である清掃領域に続く交換領域内を移動させられる。そして、清掃部が交換領域を往復する際に、往動動作を利用して、現に装着されている清掃具が自重で落下させられると共に、復動動作を利用して収容部から新たな清掃具が清掃部に向けて繰り出され、清掃部に装着される。このように、駆動部が清掃部を操作させる動作を利用して古い清掃具が新しい清掃具に自動で交換される。
【００１０】
また、前記駆動部は、前記清掃具の交換時に、前記清掃部を前記交換領域で往復動させることを特徴とするものである。この構成によれば、往復動の動きを利用して古い清掃具が新しい清掃具に自動で交換されるので、簡易な動きで交換が可能となる。
【００１１】
また、前記交換部は、前記交換領域内であって、前記清掃領域に近い側に交換位置を、遠い側に廃棄位置を設定し、前記電極支持部は、前記廃棄位置に対応する位置では下方を開放形状とし、前記廃棄位置から前記交換位置に戻る間に前記交換部が前記収容部に作用して新たな清掃具を１個だけ清掃部に向けて繰り出す位置に受け部を備えたことを特徴とするものである。この構成によれば、古い清掃具が廃棄位置の下方開放形状を利用して自重落下で廃棄され、一方、交換位置では収容部から繰り出された新たな清掃具が受け部に当接して清掃部に装着されることになる。
【００１２】
また、請求項１〜３のいずれかに記載の帯電装置を備えた画像形成装置を提供するものである。これによれば、針電極を清掃する清掃具が自動で交換される画像形成装置を提供できる。
【発明の効果】
【００１３】
本発明によれば、針電極を清掃する清掃具を自動で交換することができる。
【図面の簡単な説明】
【００１４】
【図１】本発明に係る帯電装置が適用される画像形成装置の主要部である画像形成部の構成図である。
【図２】帯電装置の構成図で、（ａ）は部分正面図、（ｂ）はホルダを示す部分平面図、（ｃ）は（ｂ）の正面断面図である。
【図３】図２に係る帯電装置の側面図である。
【図４】図２に係る帯電装置の部分平面図である。
【図５】交換部の第１の実施形態に係る構成図で、（ａ）は斜視図、（ｂ）は押し部の部分正面図、（ｃ）は往動時における押し棒の動きを説明する図、（ｄ）は復動時における押し棒の動きを説明する図である。
【図６】清掃ローラの廃棄と交換の動きを説明する図で、（ａ）は廃棄を示す図、（ｂ）は清掃ローラの繰り出しを示す図、（ｃ）は落下する清掃ローラの受けを示す図、（ｄ）は装着位置への装着を示す図である。
【図７】清掃及び清掃具交換処理を実行する機能構成図の一例である。
【図８】清掃及び清掃具交換処理を実行する一例を示すフローチャートである。
【図９】交換部の第２の実施形態を示す図で、（ａ）は清掃ローラが清掃領域に位置するときの図、（ｂ）は清掃ローラが廃棄位置にあるときの図、（ｃ）は交換位置に対向して配置され、新たな清掃ローラを収容する収容部の動きを説明する図である。
【図１０】第３の実施形態を示す切欠部の図で、（ａ）は廃棄を示す図、（ｂ）は球体の繰り出しを示す図、（ｃ）は落下する球体の受けを示す図、（ｄ）は装着位置への装着を示す図である。
【発明を実施するための形態】
【００１５】
画像形成装置は、画像形成部１０を備え、印字対象となった画像データを静電潜像として形成し、これにトナー等の現像剤を付着させて顕在化した後、記録用紙に転写し、定着するものである。図１に示す画像形成部１０は、露光装置１１、及び感光体ドラム１２を備えている。感光体ドラム１２の周囲には回転方向上流側から、帯電装置２０、現像器１３及びクリーナ１４を備えている。感光体ドラム１２は、帯電装置２０によって表面が均一に帯電され、次いで、露光装置１１からの、画像データで光変調されたレーザ光を露光されて静電潜像が形成される。そして、現像器１３によってトナーが付着されてトナー画像が形成される。トナー画像は中間転写ベルト１５に転写され、続いて図略の用紙搬送部によって搬送されてきた記録用紙に転写され、図略の定着装置で定着された状態で排出される。なお、画像形成装置がカラー画像を形成可能な場合、ブラック（Ｋ）、シアン（Ｃ）、マゼンタ（Ｍ）、イエロー（Ｙ）の各色について同一構成の画像形成部１０が中間転写ベルト１５に沿って配設される。なお、図１では帯電装置２０は、感光体ドラム１２の真下に対向配置されているが、斜め下方に配置されていてもよい。
【００１６】
図２〜図４は、帯電装置２０の構成を示している。帯電装置２０は、公知のように、感光体ドラム１２の軸方向に平行な長尺の直方体形状であって、感光体ドラム１２と対向する面が開口された金属製の箱体を有し、スコロトロン型では、この開口面にグリッドが敷設されている。帯電装置２０は、箱体内で長尺方向に平行な針電極２１が設けられている。また、帯電装置２０は、針電極２１を保持するホルダ３０、針電極２１を清掃する清掃部４０、及び清掃部４０の清掃ローラ４２を交換する交換部５０を備えている。
【００１７】
針電極２１は、薄層の金属板からなり、上端には全長に亘って一定の間隔で針２２が上方に突出形成されている。
【００１８】
ホルダ３０は、樹脂などの絶縁材料で構成され、直方体形状の帯電装置２０の長手方向（図２の左右方向）の両端に設けられる端子部３１、及びその間に支持される保持部３２を備えている。端子部３１は、保持部３２の支持と共に、電源と針電極２１とを電気的に接続させるものである。保持部３２は、針電極２１を保持するものである。保持部３２は、針電極２１の長手方向の寸法よりも長く、後述するように、一方の端子部３１との間に清掃ローラ４２交換用の構成が設けられている（図２（ｂ）（ｃ）参照）。
【００１９】
清掃部４０は、針電極２１の長手方向にスライド可能にされ、針２２の部分を清掃するものである。針２２の部分にトナーや塵埃が付着すると、感光体ドラム１２表面の帯電が不均一となり、画質の低下を招く虞があることから、使用に応じて清掃することが望ましい。清掃部４０は、保持部３２を支持する支持体４１、支持体４１に支持される清掃ローラ４２、支持体４１を長手方向に移動可能に支持する基台４３、及び基台４３を保持部３２の長手方向に移動させるスクリューネジ４４を備えている。
【００２０】
支持体４１は、図３に示すように、移動方向から見た断面がＵ字状で、底面部４１０と、その両端に立設する両側壁部４１１とを備える。支持体４１は、底面部４１０と両側壁部４１１とで囲まれる空間に針電極２１及び保持部３２が貫通されている。支持体４１は、底面部４１０と、両側壁部４１１の内側の突条４１１１，４１１２とによって保持部３２に対して上下左右及び回転が規制されている。両側壁部４１１の高さ方向の適所には、清掃ローラ４２が軸４２１周りで回転自在に支承されている。清掃ローラ４２は、円柱形をなし、例えば研磨材を含有した弾性材で形成されている。清掃ローラ４２は、下部周面から肉厚内に針２２の先端が突き刺さる高さ位置に装着され（図３参照）、長手方向への移動に伴って、順次、前の針２２から抜けながら、次の針２２に突き刺さることで自転しながら、すなわち清掃部位を変更しながら移動する。
【００２１】
両側壁部４１１は、清掃ローラ４２を支承及び廃棄ための切欠部４１２を有する。切欠部４１２は、図２（ａ）に示すように、例えば、両側壁部４１１の上端から下方に延設されると共に水平方向に向けられた、所定幅を有する導入ガイド部４１２１と、導入ガイド部４１２１の下端から上下方向に穿設された、所定幅を有する導出ガイド部４１２２とを備える。導出ガイド部４１２２は、有底の上端４１２３を備え、下端は開放されている。各ガイド部４１２１，４１２２の幅は、清掃ローラ４２の軸４２１が遊嵌可能な寸法とされている。なお、ここでは、切欠部４１２は、両側壁部４１１の肉厚全体に形成したが、両側壁部４１１の対向面側に同じ形状を溝で形成する態様でもよい。
【００２２】
基台４３は支持体４１に連結されて長手方向に一体で移動可能にされている。基台４３の肉厚内には長手方向に雌ネジ孔４３１が螺設されている。スクリューネジ４４は、雌ネジ孔４３１に螺合された状態で、帯電装置２０の長手方向の両側部に軸支されている。スクリューネジ４４は、図略のモータ等の清掃駆動部（図７参照）に連結されており、モータの正逆回転によって回転させられ、この回転動作によって、支持体４１、すなわち清掃ローラ４２を長手方向に往復動するようにしている。
【００２３】
ホルダ３０は、図２（ｃ）に示すように、針電極２１が配列されている清掃領域の外側に交換領域が延設され、この交換領域内に、清掃領域側の交換位置ＥＰが、さらにその外側に廃棄位置ＤＰが設定されている。清掃部４０は、清掃領域及び交換領域で移動可能にされている。なお、ホームポジションＨＰは清掃時の基準位置である。すなわち、ホルダ３０は、保持部３２と端子部３１との間に交換部３３と廃棄部３４とを備えている。交換部３３は、保持部３２の高さに対して、後述するように所定寸法だけ低い段差を有して形成されている。廃棄部３４は、例えば交換部３３の両端部を延設して、中央に開口３５を形成したものである。開口３５は、後述するように使用後の清掃ローラ４２を廃棄する通路となる。なお、開口３５の下方に図略の廃棄容器が配設されている。
【００２４】
次に、図５を用いて交換部５０の構成を説明する。なお、清掃部４０の構成は概略で示している。交換部５０は、図５に示すように、清掃部４０の移動方向と直交する水平軸５０１周りに回転自在に配置されたドラム形状の清掃具収容部５１を有する。清掃具収容部５１は、周方向の複数箇所、ここでは周方向の等間隔となる周面の４箇所に、半円筒状の凹部である収納庫５２が形成されている。清掃ローラ４２は、収納庫５２に収容され、収納庫５２が略下方に向いたとき、自然落下するような寸法に設計されている。なお、清掃具収容部５１の下部を除く周囲に近接して脱落防止用の略環状部材を配設した構成としてもよい。収納庫５２間には水平な回転棒５３が立設されている。一方、清掃部４０の頂部であって、切欠部４１２の左側適所には、清掃部４０の移動に伴って回転棒５３に当接する押し部５４が設けられている。
【００２５】
押し部５４は、図５（ｂ）に示すように、支持台５４１と、支持台の水平軸５４２に回動自在に軸支された押し棒５４３とを備えている。図５（ｄ）に示すように、押し棒５４３は、下端部が右側に屈曲されており、立直姿勢位置から時計回り方向への回転が規制され、一方、図略の付勢部材で時計回り方向に、すなわちＸ方向へ付勢されている。従って、押し棒５４３は、図５（ｃ）に示すように、清掃領域から廃棄位置ＤＰへの移動時は、回転棒５３に当接すると、当接力を受けて（反時計回りに）傾倒し、清掃具収容部５１に回転力を与えない。一方、押し棒５４３は、図５（ｄ）に示すように、廃棄位置ＤＰから交換位置ＥＰへの移動では、すなわち廃棄位置ＤＰで古い清掃ローラ４２を廃棄した直後の戻り時に、回転棒５３に当接すると、回転棒５３に回転力を与え、回転棒５３が押し棒５４３の先端から外れるまで清掃具収容部５１を回転させる。この結果、当接された回転棒５３の回転方向下流側にある収納庫５２内の清掃ローラ４２が清掃部４０上に落下し、軸４２１が切欠部４１２の導入ガイド部４１２１に嵌合するようになる。
【００２６】
図６（ａ）において、清掃具交換では、清掃部４０は、清掃領域（図３（ｃ）参照）から廃棄位置ＤＰに往動され、この廃棄位置ＤＰでは、下方が開放されることで、古い清掃ローラ４２は導出ガイド部４１２２を経て、矢印で示すように下方に自重で落下（廃棄）される。次いで、清掃部４０は、廃棄位置ＤＰから交換位置ＥＰに戻る（復動する）と、図６（ｂ）に示すように、清掃具収容部５１から新たな清掃ローラ４２ｎが１個だけ、導入ガイド部４１２１に向けて落下される。この交換位置ＥＰは、下方にホルダ３０の交換部３３が位置するため、図６（ｃ）に示すように、新しい清掃ローラ４２ｎは、落下が規制される。なお、清掃部４０は交換位置で一時的に停止される態様とするのが好ましい。
【００２７】
続いて、清掃部４０が、図６（ｄ）に示すように、清掃領域側のホームポジションＨＰに移行するまでの途中で、清掃ローラ４２は、交換部３３から保持部３２の段差３２１を乗り上げることになるが、この乗り上げ動作によって、清掃ローラ４２の軸４２１が導出ガイド部４１２２側に、さらに上方に押されて上端４１２３に位置決め、すなわち装着された状態となり、以後、清掃領域にある間は、保持部３２、針２２の存在により、上端４１２３に維持される。
【００２８】
図７は、画像形成装置１００の機能構成図で、主に帯電装置２０の清掃及び清掃具交換処理に関する部分の図である。画像形成装置１００は、各部の動作を統括制御するコンピュータからなる制御部１１０を有する。制御部１１０は、画像処理部１０１、図１に示す画像形成部１０、清掃駆動部４５、及び記憶部１１１と接続されている。画像処理部１０１は、印字対象の画像データに対して所定の処理を実行するものである。例えば、画像処理部１０１は、主に文字や写真等の領域分離処理、入力階調補正、カラー画像の場合における色補正と、領域に応じた空間フィルタ処理、出力階調補正とを行う各部を有する。清掃駆動部４５は、スクリューネジ４４の一端に連結され、清掃部４０を移動させるモータ等である。記憶部１１１は、各部の動作を制御する処理プログラムを格納し、また処理途中の処理データを一時的に格納する。
【００２９】
制御部１１０は、処理プログラムを実行することで、清掃制御部１１１及び交換制御部１１２として機能する。清掃制御部１１１は、印字動作の履歴を累積し、累積内容が清掃条件に達したら、清掃駆動部４５に動作指示を出力して、清掃部４０を清掃領域内で少なくとも１往復させる。印字動作の履歴には、種々の態様が採用可能であり、例えば、印字画像枚数、印字動作時間、印字対象の画像の印字比率などから算出されるトナー消費量がある。なお、他のパラメータ、例えば動作時間の累積値を利用してもよい。清掃のための往復動作の制御は、例えば、清掃駆動部４５の往動及び復動の駆動時間、駆動信号（モータ駆動パルスの個数）で行ったり、清掃部４０の移動経路両端にスイッチやセンサを備えて位置検出に基づいて行ったりしてもよい。
【００３０】
交換制御部１１２は、清掃具の交換条件に達したか否かを判断すると共に、交換時には、清掃駆動部４５に動作指示を出力して、清掃部４０を清掃領域外の交換領域に導き、１往復させる。なお、交換時期の判断は、一般的には、清掃回数が所定回数に達したかどうかで判断するが、他に、前記印字動作の履歴情報を利用するようにしてもよい。交換領域内での清掃部４０の往復動作の制御は、前記と同様の方法を利用して行えばよい。
【００３１】
図８を用いて、清掃乃至は交換作業の動作制御について説明する。印字処理の指示があると（ステップＳ１でＹｅｓ）、印字履歴の累積処理が実行され（ステップＳ３）、履歴の累積内容が製造条件に達したか否かの判断が行われる（ステップＳ５）。達していなければ、本フローを抜け、一方、達していれば、清掃動作の指示が行われ、併せて清掃回数の累積処理が行われる（ステップＳ７）。次いで、清掃回数の累積値が交換条件に達したか否かが判断される（ステップＳ９）。達していなければ、本フローを抜け、一方、達していれば、交換動作の指示が出力される（ステップＳ１１）。なお、ここでは、ステップＳ１１が実行される場合、清掃処理は実行されなくてもよく、そして、交換直後に清掃を行うようにしてもよい。また、清掃のためのパラメータと交換のためのパラメータとを異にして、交換指示と清掃指示とが互いに独立して行われる態様でもよい。
【００３２】
以上の説明では、交換部５０として、図５に示すようなドラム形状の清掃具収容部５１を採用したが、これに代えて、第２の実施形態として、図９に示すシリンダ型の清掃具収容部５１を採用してもよい。清掃具収容部５１は、清掃ローラ４２を縦方向に重ねて内装する、開口した下端を有する筒体５０２を備えている。筒体５０２には、下端位置と、下端から清掃ローラ４２のローラ直径分の寸法だけ上方の位置とに、１位相分ずらした一体型の水平シャッタ５０３１，５０３２を備えている。水平シャッタ５０３１，シャッタ５０３２の開閉動作は、清掃部４０と一体で移動する開閉部材を用いて、例えば水平シャッタ５０３１と係合して、交換領域内において一体的に移動するようにすることで可能となる。
【００３３】
図９（ｂ）（ｃ）において、図略の清掃部４０が清掃領域から廃棄位置ＤＰに移動する際に、水平シャッタ５０３１，５０３２は破線から実線で示す位置に移動し、水平シャッタ５０３２が開き、水平シャッタ５０３１が閉じられて、下端に新たな清掃ローラ４２ｎを落下させる。次に、図略の清掃部４０が、古い清掃ローラ４２を廃棄した後、廃棄位置ＤＰから交換位置ＥＰに戻る際に、逆に、水平シャッタ５０３１，５０３２は実線から破線で示す位置に移動し、水平シャッタ５０３２が閉じる一方、水平シャッタ５０３１が開いて、下端から新たな清掃ローラ４２ｎを導入ガイド部４１２１に導入する（交換部３３上に落下させる）。かかる動作を清掃具交換時の度に行うことで、新たな清掃ローラ４２ｎを１個ずつ交換部３３上に導くことができる。
【００３４】
また、前記説明では清掃具として円柱体を用いたが、これに代えて、第３の実施形態として、図１０に示すような球体４２’を採用してもよい。図１０では、切欠部４１２に代えて、両側壁部４１１間の空間に上下方向に延設されると共に、下方側で水平方向に屈曲した部分を有する、図面の奥行き方向に所定幅を持つ板材４１２’を採用してもよい。板材４１２’の幅は、球体４２’の直径以上に設定されている。板材４１２’の３つのコーナーには、小径のコロ４１２２’が配置され、球体４２’の移動を円滑にしている。
【００３５】
また、廃棄部３４に開口３５を形成したが、廃棄部３４の上面視の幅を保持部３２や交換部３３に対して細幅の、いわば略開放形状とし、廃棄位置ＤＰで落下してきた清掃ローラ４２が一旦、かかる細幅の廃棄部に当たった後に下方に落下するようにしてもよい。
【００３６】
また、以上の説明では、清掃具の装着を段差３２１を利用して行ったが、これに代えて、例えば導入ガイド内に逆流防止構造を付加するようにしてもよい。従って、切欠部４１２の形状も導入ガイド部４１２１と導出ガイド部４１２２とからなる形状に限定されない。
【００３７】
また、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００３８】
２０  帯電装置
２１  針電極
３０  ホルダ（電極支持部）
３２  保持部
３３  交換部（受け部）
３５  開口（開放形状）
４０  清掃部
４５  清掃駆動部（駆動部）
５０  交換部
５１  清掃具収容部（収容部）
【図１】
2016051127.tif 000003
【図２】
2016051127.tif 000004
【図３】
2016051127.tif 000005
【図４】
2016051127.tif 000006
【図５】
2016051127.tif 000007
【図６】
2016051127.tif 000008
【図７】
2016051127.tif 000009
【図８】
2016051127.tif 000010
【図９】
2016051127.tif 000011
【図１０】
2016051127.tif 000012